【手続補正書】
【提出日】平成15年7月30日(2003.7.30)
【手続補正１】
【補正対象書類名】明細書
【補正対象項目名】発明の名称
【補正方法】変更
【補正の内容】
【発明の名称】回転部材のロック機構及び回転式電子部品
【手続補正２】
【補正対象書類名】明細書
【補正対象項目名】特許請求の範囲
【補正方法】変更
【補正の内容】
【特許請求の範囲】
【請求項１】
回転部材の上面または側面に、該上面または側面から突出突入自在なロックピンを取り付け、さらに回転部材の内部にはロックピンを回転部材内に押し込むことで回転部材の回転方向へのロックを解除するロック機構部と、ロックピンを回転部材から外部に突出するように弾発する弾発部材とを設けてなる回転部材のロック機構において、
前記弾発部材はリング状の線材で構成され、該弾発部材の所定部分を回転部材側に固定すると共に別の所定部分を前記ロックピンに係合することによって、ロックピンを回転部材から外部に突出するように弾発せしめたことを特徴とする回転部材のロック機構。
【請求項２】
前記弾発部材を構成するリング状の線材のロックピンを係合する部分は、切り欠かれていることを特徴とする請求項１記載の回転部材のロック機構。
【請求項３】
回転部材の上面または側面に、該上面または側面から突出突入自在なロックピンを取り付け、さらに回転部材の内部にはロックピンを回転部材内に押し込むことで回転部材の回転方向へのロックを解除するロック機構部と、ロックピンを回転部材から外部に突出するように弾発する弾発部材とを設けてなる回転部材のロック機構において、
前記ロック機構部は、前記ロックピンにロック部を設け、一方回転部材の下側に配置した固定側の部材にロック部を係合するロックピン係合部を設け、ロック部をロックピン係合部内に係合することでロックし、ロックピンを回転部材内に押し込むことでロック部とロックピン係合部との係合を離脱してロックを解除するように構成されていることを特徴とする回転部材のロック機構。
【請求項４】
中央に他の部材挿入用の収納部を設けてなるケースを基板上に載置し、
ケースの収納部の外周に前記基板の電気的出力を変化せしめる操作型物を回動自在に軸支し、
前記ケースの上には操作型物と一体に回転する回転つまみを設置し、
一方回転つまみの上面または側面に、該上面または側面からの突出突入が自在なロックピンを取り付け、さらに回転つまみの内部にはロックピンを回転つまみ内に押し込むことで回転つまみの回転方向へのロックを解除するロック機構部と、ロックピンを回転つまみから外部に突出するように弾発する弾発部材とを設けてなる回転式電子部品であって、
前記ロック機構部は、前記ロックピンにロック部を設け、一方ケースにロック部を係合するロックピン係合部を設け、ロック部をロックピン係合部内に係合することでロックし、ロックピンを回転つまみ内に押し込むことでロック部とロックピン係合部との係合を離脱してロックを解除するように構成されていることを特徴とする回転式電子部品。
【請求項５】
回転つまみを回転することでその電気的出力を変化する回転式電子部品において、
前記回転式電子部品の中央に二段の押釦スイッチ機構を収納するとともに、
前記回転つまみからロックピンを突出することで回転部材の回転方向へのロックを行うとともにロックピンを回転つまみ内に押し込むことで回転つまみの回転方向へのロックを解除するロック機構を設けたことを特徴とする回転式電子部品。
【請求項６】
前記回転式電子部品の中央に、前記二段の押釦スイッチ機構を収納する収納部を設けてなるケースを設置し、
前記ケースの収納部の外周に前記回転つまみと一体に回転することで回転式電子部品の電気的出力を変化させる操作型物を回動自在に軸支したことを特徴とする請求項５に記載の回転式電子部品。
【手続補正３】
【補正対象書類名】明細書
【補正対象項目名】０００１
【補正方法】変更
【補正の内容】
【０００１】
【発明の属する技術分野】
本発明は、回転式電子部品に用いる回転つまみ等の回転部材のロック機構及び回転式電子部品に関するものである。


【手続補正４】
【補正対象書類名】明細書
【補正対象項目名】０００６
【補正方法】変更
【補正の内容】
【０００６】
【発明が解決しようとする課題】
本発明は上述の点に鑑みてなされたものでありその目的は、構造が簡素化できてその小型化・薄型化が図れる回転部材のロック機構及び回転式電子部品を提供することにある。


【手続補正５】
【補正対象書類名】明細書
【補正対象項目名】０００７
【補正方法】変更
【補正の内容】
【０００７】
【課題を解決するための手段】
上記問題点を解決するため本発明は、回転部材の上面または側面に、該上面または側面から突出突入自在なロックピンを取り付け、さらに回転部材の内部にはロックピンを回転部材内に押し込むことで回転部材の回転方向へのロックを解除するロック機構部と、ロックピンを回転部材から外部に突出するように弾発する弾発部材とを設けてなる回転部材のロック機構において、前記弾発部材はリング状の線材で構成され、該弾発部材の所定部分を回転部材側に固定すると共に別の所定部分を前記ロックピンに係合することによって、ロックピンを回転部材から外部に突出するように弾発せしめたことを特徴とする。
ここで前記弾発部材を構成するリング状の線材のロックピンを係合する部分は、切り欠かれていることが好ましい。
また本発明は、回転部材の上面または側面に、該上面または側面から突出突入自在なロックピンを取り付け、さらに回転部材の内部にはロックピンを回転部材内に押し込むことで回転部材の回転方向へのロックを解除するロック機構部と、ロックピンを回転部材から外部に突出するように弾発する弾発部材とを設けてなる回転部材のロック機構において、前記ロック機構部は、前記ロックピンにロック部を設け、一方回転部材の下側に配置した固定側の部材にロック部を係合するロックピン係合部を設け、ロック部をロックピン係合部内に係合することでロックし、ロックピンを回転部材内に押し込むことでロック部とロックピン係合部との係合を離脱してロックを解除するように構成されていることを特徴とする。
また本発明は、中央に他の部材挿入用の収納部を設けてなるケースを基板上に載置し、ケースの収納部の外周に前記基板の電気的出力を変化せしめる操作型物を回動自在に軸支し、前記ケースの上には操作型物と一体に回転する回転つまみを設置し、一方回転つまみの上面または側面に、該上面または側面からの突出突入が自在なロックピンを取り付け、さらに回転つまみの内部にはロックピンを回転つまみ内に押し込むことで回転つまみの回転方向へのロックを解除するロック機構部と、ロックピンを回転つまみから外部に突出するように弾発する弾発部材とを設けてなる回転式電子部品であって、前記ロック機構部は、前記ロックピンにロック部を設け、一方ケースにロック部を係合するロックピン係合部を設け、ロック部をロックピン係合部内に係合することでロックし、ロックピンを回転つまみ内に押し込むことでロック部とロックピン係合部との係合を離脱してロックを解除するように構成されていることを特徴とする。
また本発明は、回転つまみを回転することでその電気的出力を変化する回転式電子部品において、前記回転式電子部品の中央に二段の押釦スイッチ機構を収納するとともに、前記回転つまみからロックピンを突出することで回転部材の回転方向へのロックを行うとともにロックピンを回転つまみ内に押し込むことで回転つまみの回転方向へのロックを解除するロック機構を設けたことを特徴とする。
また本発明は、前記回転式電子部品の中央に、前記二段の押釦スイッチ機構を収納する収納部を設けてなるケースを設置し、前記ケースの収納部の外周に前記回転つまみと一体に回転することで回転式電子部品の電気的出力を変化させる操作型物を回動自在に軸支したことを特徴とする。